(57)【要約】      （修正有）【課題】ベースの反転を許容しつつ、複数のコネクタをフロントカバー側の任意な位置に設置できる卓上機器を得る。【解決手段】卓上機器は、ベース４、フロントカバー５、複数のコネクタ２２、２３、２４、２５を備えている。フロントカバー５は、コネクタが設けられた領域をベース４の方向から覆うコネクタカバー２８を含み、コネクタカバー２８はコネクタに対応する位置に複数の接続口３０ａ、３０ｂ、３０ｃ、３０ｄを有する。ベース４の底壁６に開口部３２が設けられている。開口部３２は、フロントカバー５に対するベース４の反転方向のいかんに拘らずコネクタカバー２８と合致する。【選択図】図４
2009152884.tif 000002
【特許請求の範囲】
【請求項１】
底壁と、この底壁に対して傾斜する傾斜部とを有するベースと、
上記ベースの傾斜部に取り外し可能に固定され、上記底壁の反対側に位置する機器操作面を有するフロントカバーと、
上記フロントカバーに設けられ、上記ベースの底壁と向かい合う複数のコネクタと、を具備し、
上記フロントカバーに対する上記ベースの傾斜部の向きを反転させることで、上記機器操作面の傾斜方向を変化させるようにした卓上機器であって、
上記フロントカバーは、上記コネクタが設けられた領域を上記ベースの方向から覆うコネクタカバーを含み、このコネクタカバーは上記コネクタに対応する位置に上記コネクタを露出させる複数の接続口を有するとともに、
上記ベースの底壁に、上記フロントカバーに対する上記ベースの反転方向のいかんに拘らず上記コネクタカバーと合致する開口部を設けたことを特徴とする卓上機器。
【請求項２】
請求項１の記載において、上記ベースは、上記底壁から上記ベース内に入り込むように凹む窪み部を有し、この窪み部の底に上記開口部が位置することを特徴とする卓上機器。
【請求項３】
請求項２の記載において、上記ベースの窪み部は、上記コネクタに接続されたケーブルを収める収容空間を規定していることを特徴とする卓上機器。
【請求項４】
請求項３の記載において、上記コネクタカバーは、上記ケーブルが入り込むように上記窪み部に露出された凹所を有することを特徴とする卓上機器。
【請求項５】
底壁と、この底壁に対して傾斜する傾斜部とを有するベースと、
上記ベースの傾斜部に取り外し可能に固定され、上記底壁の反対側に位置する機器操作面を有するフロントカバーと、
上記フロントカバーに支持されるとともに、上記ベースの底壁と向かい合う実装面を有するプリント回路板と、
上記プリント回路板の実装面に実装された複数のコネクタと、を具備し、
上記フロントカバーに対する上記ベースの傾斜部の向きを反転させることで、上記機器操作面の傾斜方向を変化させるようにした卓上機器であって、
上記プリント配線板の実装面に、少なくとも上記コネクタが実装された領域を上記ベースの方向から覆うコネクタカバーを配置し、このコネクタカバーは上記コネクタに対応する位置に上記コネクタを露出させる複数の接続口を有するとともに、
上記ベースの底壁に、上記フロントカバーに対する上記ベースの反転方向のいかんに拘らず上記コネクタカバーと合致する開口部を設けたことを特徴とする卓上機器。
【請求項６】
請求項５の記載において、上記複数のコネクタは、上記プリント回路板の実装面に半田付けされていることを特徴とする卓上機器。
【請求項７】
請求項６の記載において、上記コネクタカバーは、上記プリント回路板と一緒に上記フロントカバーに支持されていることを特徴とする卓上機器。
【請求項８】
請求項７の記載において、上記ベースは、上記底壁から上記ベース内に入り込むように凹む窪み部を有し、この窪み部の底に上記開口部が位置することを特徴とする卓上機器。
【請求項９】
請求項８の記載において、上記ベースの窪み部は、上記コネクタに接続されたケーブルを収める収容空間を規定していることを特徴とする卓上機器。
【請求項１０】
請求項９の記載において、上記コネクタカバーは、上記ケーブルが入り込むように上記窪み部に露出された凹所を有することを特徴とする卓上機器。
【発明の詳細な説明】
【技術分野】
【０００１】
本発明は、卓上に置いて使用する形態と、壁に掛けて使用する形態とに切り換えが可能な電話機のような卓上機器に関する。
【背景技術】
【０００２】
卓上に置いて使用する形態と、壁に掛けて使用する形態とに切り換えが可能な電話機が知られている。この種の電話機では、例えばダイヤルボタンが配置された機器操作面の視認性を高めるために、卓上使用時と壁掛け使用時とで機器操作面の傾斜方向を変えることが行われている（例えば、特許文献１参照）。
【０００３】
特許文献１に開示された電話機は、ベースと、このベースを覆う化粧カバーと、ベースと化粧カバーとの間に配置されたプリント回路板とを備えている。プリント回路板は、化粧カバーの内面から突出する複数のボス部にねじ止めされて、化粧カバーと一体化されている。
【０００４】
プリント回路板の上に複数のダイヤルボタンが実装されている。ダイヤルボタンは、オペレータが指先で操作し得るように、化粧カバーの機器操作面から電話機の外に突出している。
【０００５】
ベースは、底板と、この底板の反対側に位置する傾斜面とを有している。傾斜面は、ベースの奥行き方向に沿う一端から他端の方向に進むに従い、底板から遠ざかる方向に傾斜している。化粧カバーは、ベースの傾斜面に重ね合わせた状態でベースの底板に複数のねじを介して取り外し可能に固定されている。この固定により、化粧カバーの機器操作面がベースの傾斜面に沿うような角度で傾斜している。
【０００６】
したがって、化粧カバーに対するベースの傾斜面の向きを１８０°反転させることで、化粧カバーの機器操作面の傾斜方向を二通りに変化させることができる。これにより、電話機を卓上に置いた時は、機器操作面の手元側が低くなるように化粧カバーが傾斜し、電話機を壁に掛けた時は、機器操作面の下端が上端よりも壁から突出するように化粧カバーが傾斜するようになっている。
【０００７】
一方、プリント回路板のベース側の面には、コネクタが実装されている。コネクタは、例えば電話回線接続ケーブルを接続するためのものであり、ベースの底板に開けた孔を通じて電話機の底に露出している。
【０００８】
コネクタおよび孔は、ベースの対角線が交差する底板の中心部に位置している。そのため、化粧カバーに対してベースを１８０°反転させた場合でも、ベースの孔が必ずコネクタと合致するようになっている。
【特許文献１】米国特許明細書第５１８５７９１号
【発明の開示】
【発明が解決しようとする課題】
【０００９】
特許文献１に開示された電話機では、コネクタがプリント回路板を介して化粧カバーに支持されている。そのため、電話機の使用形態に応じてベースを１８０°反転させることを考慮すると、コネクタは、ベースの中心部にしか配置することができなくなる。
【００１０】
したがって、電話機に例えば外部スピーカやヘッドセットを接続する他のコネクタを増設する場合には、他のコネクタをベースに取り付けるとともに、他のコネクタとプリント回路板との間を専用のケーブルで接続しなくてはならない。
【００１１】
このような構成によると、ベースを１８０°反転させる度にケーブルによるプリント回路板と他のコネクタとの接続を解除したり、再接続する作業を余儀なくされる。この結果、ベースを反転させる際の作業工数が増大し、作業性が悪くなる。
【００１２】
しかも、ベースに他のコネクタを支持する支持部を形成しなくてはならず、ベースの構成が複雑化するのを避けられない。よって、専用のケーブルが必要となることと相まって、電話機のコストが増大するといった不具合が生じてくる。
【００１３】
本発明の目的は、フロントカバーに対するベースの反転を許容しつつ、複数のコネクタをフロントカバー側の任意な位置に設置することができ、ベースの反転作業を容易に行える卓上機器を得ることにある。
【課題を解決するための手段】
【００１４】
上記目的を達成するため、本発明の一つの形態に係る卓上機器は、  
底壁と、この底壁に対して傾斜する傾斜部とを有するベースと、  
上記ベースの傾斜部に取り外し可能に固定され、上記底壁の反対側に位置する機器操作面を有するフロントカバーと、  
上記フロントカバーに設けられ、上記ベースの底壁と向かい合う複数のコネクタと、を備えており、  
上記フロントカバーに対する上記ベースの傾斜部の向きを反転させることで、上記機器操作面の傾斜方向を変化させるようにした卓上機器であって、  
上記フロントカバーは、上記コネクタが設けられた領域を上記ベースの方向から覆うコネクタカバーを含んでいる。このコネクタカバーは、上記コネクタに対応する位置に上記コネクタを露出させる複数の接続口を有するとともに、上記ベースの底壁に、上記フロントカバーに対する上記ベースの反転方向のいかんに拘らず上記コネクタカバーと合致する開口部を設けたことを特徴としている。
【発明の効果】
【００１５】
本発明によれば、ベースの開口部は、ベースの反転に影響されることなく常にコネクタカバーと合致する。したがって、フロントカバーに対するベースの反転を許容しつつ、複数のコネクタをフロントカバー側の任意な位置に設置することが可能となり、ベースの反転が容易となる。
【００１６】
さらに、ベースの開口部はコネクタカバーで塞がれるので、ベースの内部への異物の侵入を防止できるとともに、卓上機器の外観も良好に維持することができる。
【発明を実施するための最良の形態】
【００１７】
以下本発明の実施の形態を、電話機に適用した図面に基づいて説明する。
【００１８】
図１ないし図３は、卓上機器の一例である電話機１を開示している。本実施の形態の電話機１は、事務用あるいは家庭用のような一般的用途を想定しており、例えば卓上に置いて使用したり、室内の壁に掛けて使用することができる。
【００１９】
電話機１は、箱状の機器本体２およびハンドセット３を含んでいる。機器本体２は、ベース４とフロントカバー５とで構成されている。
【００２０】
ベース４は、底壁６と周壁７とを備えている。底壁６は、四角い板状をなしている。底壁６は、機器本体２の奥行き方向に沿う一端に位置する第１の端部６ａと、機器本体２の奥行き方向に沿う他端に位置する第２の端部６ｂとを有している。
【００２１】
周壁７は、底壁６の周縁から起立している。周壁７の先端縁部は、底壁６の周方向に連続している。周壁７は、機器本体２の幅方向に向かい合う一対の側壁部７ａ，７ｂを含んでいる。側壁部７ａ，７ｂの突出高さは、底壁６の第１の端部６ａから第２の端部６ｂの方向に進むに従い連続的に増加している。この結果、側壁部７ａ，７ｂの突出端部は、底壁６に対し傾斜している。
【００２２】
周壁７の突出端部にフランジ部８が形成されている。フランジ部８は、周壁７の周方向に連続するとともに、周壁７の突出端部からベース４の外側に張り出している。フランジ部８は、四角い枠状をなしている。
【００２３】
さらに、フランジ部８は、側壁部７ａ，７ｂの突出端部の傾斜に沿うようにベース４の底壁６に対して傾斜している。そのため、本実施の形態では、フランジ部８がベース４の傾斜部として機能している。
【００２４】
フロントカバー５は、ベース４のフランジ部８に突き合わされて、ベース４を上から覆っている。フロントカバー５は、四角い機器操作面１０を有している。機器操作面１０は、ベース４の底壁６の反対側に位置している。
【００２５】
複数のダイヤルボタン１１および複数の固定機能ボタン１２が機器操作面１０の右半分に配列されている。さらに、ハンドセット載置部１３が機器操作面１０の左端部に形成されている。ハンドセット３は、ハンドセット載置部１３の上に置かれている。
【００２６】
図４および図５に示すように、フロントカバー５の内面に四つのボス部１４が形成されている。ボス部１４は、ねじ孔を有するとともに、フロントカバー５の四つの角部の付近からベース４に向けて突出している。ベース４のフランジ部８にボス部１４に対応する通孔１５が形成されている。通孔１５は、ベース４のフランジ部８とフロントカバー５とを重ね合わせた時に、ボス部１４と合致するようになっている。
【００２７】
そのため、各通孔１５にねじ１６を挿入するとともに、このねじ１６をボス部１５のねじ孔にねじ込むことで、ベース４とフロントカバー５とが互いに結合される。この結合状態では、フロントカバー５が傾斜部としてのフランジ部８に突き合わされるので、フロントカバー５の機器操作面１０がベース４の底壁６に対して傾斜する。
【００２８】
したがって、フロントカバー５をベース４から分離した状態でフロントカバー５に対するフランジ部８の向きを１８０°反転させることで、フロントカバー８の機器操作面１０の傾斜方向を二通りに変化させることができる。
【００２９】
具体的には、図２に示すように、電話機１を机の載置面１７の上に置いて卓上で使用する時は、底壁６の第１の端部６ａがオペレータの手元側に位置するようにベース４の向きを決定する。この状態では、ベース４のフランジ部８は、オペレータの手元側が低くなる方向に傾斜している。
【００３０】
このため、フランジ部８の上にフロントカバー５を重ねてねじ１６で固定すれば、ダイヤルボタン１１および固定機能ボタン１２を有するフロントカバー５の機器操作面１０がオペレータと向かい合うように傾斜する。よって、電話機１を卓上で使用する時の機器操作面１０の視認性が良好となる。
【００３１】
一方、図７に示すように、電話機１を例えば室内の起立した壁１８に掛けて使用する時は、ベース４のフランジ部８の向きを１８０°反転させて、底壁６の第２の端部６ｂが第１の端部６ａの下方に位置するようにベース４の向きを決定する。この状態では、ベース４のフランジ部８は、底壁６の第２の端部６ｂから第１の端部６ａの方向に進むに従い壁１８に近づくように傾斜している。
【００３２】
そのため、フランジ部８の上にフロントカバー５を重ねてねじ１６で固定すれば、ダイヤルボタン１１および固定機能ボタン１２を有するフロントカバー５の機器操作面１０がオペレータと向かい合うように傾斜する。よって、電話機１を壁１８に掛けて使用する時の機器操作面１０の視認性が良好となる。
【００３３】
図２および図４に示すように、機器本体２の内部にプリント回路板１９が収容されている。プリント回路板１９は、フロントカバー５よりも一回り小さな四角い形状を有している。プリント回路板１９は、フロントカバー５の内面から突出する複数のボス部２０の先端にねじ２１を介して固定されている。
【００３４】
プリント回路板１９は、ベース４の底壁６と向かい合う実装面１９ａを有している。図５および図６に示すように、実装面１９ａの上に第１ないし第４のモジュラーコネクタ２２，２３，２４，２５が例えばリフロー半田付け等の手段により実装されている。
【００３５】
第１ないし第３のモジュラーコネクタ２２，２３，２４は、実装面１９ａの中央部において機器本体２の幅方向に一列に並んでいる。第４のモジュラーコネクタ２５は、実装面１９ａの略中央部に位置するとともに、第２のモジュラーコネクタ２３と隣り合っている。
【００３６】
第１のモジュラーコネクタ２２は、電話回線接続ケーブル（図示せず）を接続するためのものである。第２のモジュラーコネクタ２３は、ハンドセット３から導かれたハンドセット接続ケーブル２６を接続するためのものである。第３のモジュラーコネクタ２４は、ヘッドセット接続ケーブル（図示せず）を接続するためのものである。第４のモジュラーコネクタ２５は、外部スピーカ接続ケーブル（図示せず）を接続するためのものである。
【００３７】
プリント回路板１９の実装面１９ａの上にコネクタカバー２８が設置されている。コネクタカバー２８は、機器本体２の幅方向に延びる長方形状をなすとともに、プリント回路板１９の実装面１９ａのうち第１ないし第４のモジュラーコネクタ２２，２３，２４，２５が実装された領域を上回る大きさを有している。
【００３８】
コネクタカバー２８に第１および第２の固定片２９ａ，２９ｂが形成されている。第１の固定片２９ａは、コネクタカバー２８の長手方向に沿う一端からプリント回路板１９に向けて突出している。第２の固定片２９ｂは、コネクタカバー２８の長手方向に沿う他端からプリント回路板１９に向けて突出している。第１および第２の固定片２９ａ，２９ｂは、プリント回路板１９を止めるねじ２１を利用してフロントカバー５のボス部２０に固定されている。
【００３９】
コネクタカバー２８をフロントカバー５に固定した状態では、コネクタカバー２８は、機器本体２の幅方向に沿う中央であり、かつ機器本体２の奥行き方向に沿う中央に位置している。さらに、コネクタカバー２８は、プリント回路板１９の実装面１９ａと平行に配置されて、第１ないし第４のモジュラーコネクタ２２，２３，２４，２５をベース４の底壁６の方向から一括して覆っている。
【００４０】
コネクタカバー２８は、第１ないし第４の接続口３０ａ，３０ｂ，３０ｃ，３０ｄを有している。第１ないし第４の接続口３０ａ，３０ｂ，３０ｃ，３０ｄは、第１ないし第４のモジュラーコネクタ２２，２３，２４，２５に対応する位置に形成されている。
【００４１】
これにより、第１ないし第４のモジュラーコネクタ２２，２３，２４，２５は、コネクタカバー２８の第１ないし第４の接続口３０ａ，３０ｂ，３０ｃ，３０ｄを通じてベース４の底壁６の方向に露出している。
【００４２】
図２、図３、図７および図８に示すように、ベース４は、底壁６の中央部からベース４の内側に入り込むように凹む窪み部３１を有している。窪み部３１は、コネクタカバー２８と向かい合っている。窪み部３１の底に四角い開口部３２が形成されている。開口部３２は、コネクタカバー２８に対応する大きさに形成されており、この開口部３２の開口縁部がコネクタカバー２８の外周縁部に突き当たっている。
【００４３】
そのため、開口部３２は、コネクタカバー２８によって塞がれているとともに、窪み部３１の内側に第１ないし第４の接続口３０ａ，３０ｂ，３０ｃ，３０ｄが位置している。
【００４４】
さらに、電話機１を卓上に置いて使用する時および電話機１を壁１８に掛けて使用する時のいずれにおいても、ベース４の開口部３２は、コネクタカバー２８と合致するようになっている。
【００４５】
言い換えると、開口部３２は、フロントカバー５に対するベース４の反転方向に関与することなく常にコネクタカバー２８と合致し、このコネクタカバー２８の第１ないし第４の接続口３０ａ，３０ｂ，３０ｃ，３０ｄを機器本体２の外に露出させている。
【００４６】
図２および図７に示すように、ベース４の窪み部３１は、電話機１を卓上に置いて使用する時および壁１８に掛けて使用する時のいずれにおいても、第１ないし第４のモジュラーコネクタ２２，２３，２４，２５に接続されたケーブルを収める収容空間３３を規定している。
【００４７】
さらに、本実施の形態のコネクタカバー２８は、一対の凹所３５ａ，３５ｂを有している。凹所３５ａ，３５ｂは、窪み部３１の底に露出するとともに、この窪み部３１に連続している。そのため、凹所３５ａ，３５ｂの存在により収容空間３３の容積が増大し、例えば第１ないし第４のモジュラーコネクタ２２，２３，２４，２５の全てにケーブルを接続した状態においても、複数のケーブルを収容空間３３に無理なく収めることができる。
【００４８】
図３、図４、図８および図９に示すように、ベース４の底壁６に第１ないし第６の配線溝３６ａ，３６ｂ，３６ｃ，３６ｄ，３６ｅ，３６ｆが形成されている。第１ないし第６の配線溝３６ａ，３６ｂ，３６ｃ，３６ｄ，３６ｅ，３６ｆは、窪み部３１の開口端からベース４の周囲に向けて放射状に延びているとともに、夫々底壁６と周壁７とで規定される角部に開口している。第１ないし第４のモジュラーコネクタ２２，２３，２４，２５に接続されたケーブルは、第１ないし第６の配線溝３６ａ，３６ｂ，３６ｃ，３６ｄ，３６ｅ，３６ｆのうちのいずれかを通して窪み部３１からベース４の外に引き出されるようになっている。
【００４９】
さらに、ベース４の底壁６に一対の係合孔３８ａ，３８ｂが形成されている。係合孔３８ａ，３８ｂは、電話機１を壁１８に掛ける時に、壁１８に取り付けた壁掛け金具３９に取り外し可能に引っ掛かるようになっている。
【００５０】
図２に示すように、電話機１を卓上に置いて使用する時は、底壁６の第１の端部６ａがオペレータの手元側に位置するようにベース４の向きを決定する。この状態で、ベース４のフランジ部８の上にフロントカバー５を重ねてねじ１６で固定すれば、ダイヤルボタン１１および固定機能ボタン１２を有するフロントカバー５の機器操作面１０がオペレータと向かい合うように傾斜する。
【００５１】
一方、電話機１を壁１８に掛けて使用する時は、ねじ１６によるベース４とフロントカバー５との固定を解除し、ベース４とフロントカバー５とを互いに分離させる。次に、フロントカバー５に対しベース４を１８０°反転させ、ベース４の底壁６に対するフランジ部８の傾斜方向を卓上使用時と逆にする。この状態で、ベース４のフランジ部８の上にフロントカバー５を重ねてねじ１６で固定した後、底壁６の第２の端部６ｂが第１の端部６ａの下方に位置するようにベース４の向きを決定する。
【００５２】
引き続いて、ベース４の底壁６に形成された係合孔３８ａ，３８ｂを壁１８に固定された壁掛け金具３９に引っ掛ける。これにより、電話機１が壁１８に保持されるとともに、ダイヤルボタン１１および固定機能ボタン１２を有するフロントカバー５の機器操作面１０がオペレータと向かい合うように傾斜する。
【００５３】
このような電話機１によれば、ベース４の開口部３２は、ベース４を電話機１の使用形態に対応するいずれの向きに反転させた状態でも、プリント回路板１９のコネクタ実装領域を覆うコネクタカバー２８と合致する。コネクタカバー２８は、第１ないし第４のモジュラーコネクタ２２，２３，２４，２５をベース４の窪み部３１に露出させる第１ないし第４の接続口３０ａ，３０ｂ，３０ｃ，３０ｄを有するので、第１ないし第４の接続口３０ａ，３０ｂ，３０ｃ，３０ｄの位置がベース４の開口部３２の位置の影響を受けることはない。
【００５４】
そのため、フロントカバー５に対するベース４の反転動作を許容しつつ、第１ないし第４のモジュラーコネクタ２２，２３，２４，２５をプリント回路板１９の実装面１９ａの上の任意な位置に設置することができる。
【００５５】
したがって、電話機１の使用形態に応じて機器操作面１０の傾斜方向を変化させるに当っては、ベース４の向きを１８０°反転させるだけの単純な作業で対応することができ、作業性が向上する。
【００５６】
しかも、ベース４の開口部３２は、ベース４をいずれの向きに反転させた状態でもコネクタカバー２８で塞がれている。このため、開口部３２を通じてプリント回路板１９の実装面１９ａが見えることはないとともに、機器本体２の内部への異物の侵入を防止できる。
【００５７】
さらに、上記構成によると、第１ないし第４のモジュラーコネクタ２２，２３，２４，２５をプリント回路板１９の実装面１９ａにリフロー半田付けのような手段で一度に実装することができる。そのため、従来のようにプリント回路板とコネクタとの間を専用のケーブルで接続する必要はなく、第１ないし第４のモジュラーコネクタ２２，２３，２４，２５の実装作業を容易に行うことができる。
【００５８】
加えて、第１ないし第４のモジュラーコネクタ２２，２３，２４，２５は、プリント回路板１９に実装されているので、ベース４にコネクタ支持部を設けたり、ベース４の側面にコネクタを露出させる接続口を形成する必要はない。この結果、ベース４の構造を簡素化して電話機１のコストを軽減できるとともに、電話機１の外観も良好に維持できるといった利点がある。
【００５９】
なお、上記実施の形態では、電話機を壁に掛けて使用する時に、電話機のベースを壁に取り付けた壁掛け金具に引っ掛けているが、例えば壁にモジュラーコンセントを保持するためのサポート金具に電話機のベースを引っ掛けるようにしてもよい。
【００６０】
さらに、本発明に係る卓上機器は、事務用あるいは家庭用の電話機に特定されるものではない。例えば、送話器や表示画面を有するインターホンの親機であっても同様に実施可能である。
【図面の簡単な説明】
【００６１】
【図１】本発明の実施の形態に係る電話機の斜視図。
【図２】本発明の実施の形態において、電話機を卓上に置いて使用する時の機器操作面の傾斜方向を一部断面で示す電話機の側面図。
【図３】本発明の実施の形態において、電話機を卓上に置いて使用する時のベースの底壁とコネクタカバーとの位置関係を示す電話機の斜視図。
【図４】本発明の実施の形態において、ベースからフロントカバーを取り外した状態を示す電話機の斜視図。
【図５】本発明の実施の形態において、フロントカバーに支持されたプリント回路板とコネクタカバーとの位置関係を示す斜視図。
【図６】本発明の実施の形態において、フロントカバーに支持されたプリント回路板とコネクタカバーとの位置関係を示す斜視図。
【図７】本発明の実施の形態において、電話機を壁に掛けて使用する時のベースの底壁とコネクタカバーとの位置関係を示す電話機の斜視図。
【図８】本発明の実施の形態において、電話機を壁に掛けて使用する時のベースの底壁とコネクタカバーとの位置関係を示す電話機の斜視図。
【図９】本発明の実施の形態において、フロントカバーに支持されたプリント回路板とコネクタカバーとの位置関係を示す斜視図。
【符号の説明】
【００６２】
４…ベース、５…フロントカバー、６…底壁、８…傾斜部（フランジ部）、１０…機器操作面、１９…プリント回路板、１９ａ…実装面、２２，２３，２４，２５…コネクタ（第１ないし第４のモジュラーコネクタ）、２８…コネクタカバー、３０ａ，３０ｂ，３０ｃ，３０ｄ…接続口（第１ないし第４の接続口）、３２…開口部。
【図１】
2009152884.tif 000003
【図２】
2009152884.tif 000004
【図３】
2009152884.tif 000005
【図４】
2009152884.tif 000006
【図５】
2009152884.tif 000007
【図６】
2009152884.tif 000008
【図７】
2009152884.tif 000009
【図８】
2009152884.tif 000010
【図９】
2009152884.tif 000011